【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
無線周波数（ＲＦ）スペクトル帯域のマルチプルなサブバンドにわたって動作するチャネル上で、クリアチャネルアセスメント（ＣＣＡ）プロシージャを実施することと、
前記実施されたＣＣＡに少なくとも部分的に基づいて、前記チャネルが利用可能であると決定することと、および
マルチプルなサブバンドにわたって動作する前記チャネル中で、特殊ヘッダを送信することと、ここにおいて、前記特殊ヘッダが２つまたはそれ以上の送信時間間隔（ＴＴＩ）を備え、各ＴＴＩは２つまたはそれ以上のサブバンドの各々中でヘッダパケットを備える、
を備える、方法。
【請求項２】
第１の電力レベルにおいて、前記２つまたはそれ以上のサブバンドの各々にわたって、前記２つまたはそれ以上のＴＴＩのうちの第１のＴＴＩを送信することと、および
異なる電力レベルにおいて、前記２つまたはそれ以上のサブバンドにわたって、前記２つまたはそれ以上のＴＴＩのうちの１つまたは複数の後続のＴＴＩを送信することと
をさらに備える、請求項１に記載の方法。
【請求項３】
前記第１の電力レベルは前記異なる電力レベルよりも小さい、請求項２に記載の方法。
【請求項４】
前記ヘッダパケットは自己への送信可フレーム構造を備える、請求項１に記載の方法。
【請求項５】
前記ＲＦスペクトル帯域の前記２つまたはそれ以上のサブバンド中で、１つまたは複数の追加のヘッダパケットを送信することをさらに備え、ここにおいて、前記追加のヘッダパケットの各々は、前記第１の電力レベルまたは前記異なる電力レベルにおいて送信される、請求項１に記載の方法。
【請求項６】
前記１つまたは複数の追加のヘッダは後続のサブフレームの境界において同期的に送信される、請求項５に記載の方法。
【請求項７】
前記ＲＦスペクトル帯域の各サブバンドにわたって、連続パターンにおいて前記ヘッダパケットを送信することをさらに備え、ここにおいて、前記連続パターンは前記ＣＣＡに少なくとも部分的に基づく、請求項１に記載の方法。
【請求項８】
前記ＲＦスペクトル帯域の各サブバンドにわたって、非連続パターンにおいて前記ヘッダパケットを送信することをさらに備え、ここにおいて、前記非連続パターンは前記ＣＣＡに少なくとも部分的に基づく、請求項１に記載の方法。
【請求項９】
第１の事業者に関する第１の時間および第２の事業者に関する第２の時間において、前記特殊ヘッダを送信することをさらに備える、請求項１に記載の方法。
【請求項１０】
前記第１の時間は前記第２の時間とは異なる、請求項９に記載の方法。
【請求項１１】
前記特殊ヘッダは、第１の事業者に関する第１の構成および第２の事業者に関する第２の構成のものである、請求項１に記載の方法。
【請求項１２】
前記ヘッダパケットはワイヤレスフィデリティ（Ｗｉ−Ｆｉ）フレーム構造を備える、請求項１に記載の方法。
【請求項１３】
ワイヤレス通信のための装置であって、請求項１ないし１２のいずれか一項に記載の方法を実施するための手段を備える、装置。
【請求項１４】
ワイヤレス通信のためのコードを記憶する非一時的コンピュータ可読媒体であって、前記コードは、請求項１ないし１２のいずれか一項に記載の方法の全てのステップを実施するために実行可能な命令を備える、非一時的コンピュータ可読媒体。
【手続補正２】
【補正対象書類名】明細書
【補正対象項目名】０１０１
【補正方法】変更
【補正の内容】
【０１０１】
[00108]添付の図において、同様のコンポーネントまたは特徴は同じ参照ラベルを有し得る。さらに、同じタイプの様々なコンポーネントは、参照ラベルの後に、ダッシュとおよび同様のコンポーネントを区別する第２のラベルを続けることによって区別され得る。第１の参照ラベルのみが本明細書において使用される場合、その記述は、第２の参照ラベルにかかわらず、同じ第１の参照ラベルを有する同様のコンポーネントのいずれにも適用可能である。
以下に本願の出願当初の特許請求の範囲に記載された発明を付記する。
［Ｃ１］  ワイヤレス通信の方法であって、
無線周波数（ＲＦ）スペクトル帯域のマルチプルなサブバンドにわたって動作するチャネル上で、クリアチャネルアセスメント（ＣＣＡ）プロシージャを実施することと、
前記チャネルは前記実施されたＣＣＡに少なくとも部分的に基づいて、利用可能であると決定することと、および
マルチプルなサブバンドにわたって動作する前記チャネル中で、特殊ヘッダを送信することと、ここにおいて、前記特殊ヘッダが２つまたはそれ以上の送信時間間隔（ＴＴＩ）を備え、各ＴＴＩは２つまたはそれ以上のサブバンドの各々中でヘッダパケットを備える、を備える、方法。
［Ｃ２］  第１の電力レベルにおいて、前記２つまたはそれ以上のサブバンドの各々にわたって、前記２つまたはそれ以上のＴＴＩのうちの第１のＴＴＩを送信することと、および
異なる電力レベルにおいて、前記２つまたはそれ以上のサブバンドにわたって、前記２つまたはそれ以上のＴＴＩのうちの１つまたは複数の後続のＴＴＩを送信することとをさらに備える、Ｃ１に記載の方法。
［Ｃ３］  前記第１の電力レベルは前記異なる電力レベルよりも小さい、Ｃ２に記載の方法。
［Ｃ４］  前記ヘッダパケットは自己への送信可フレーム構造を備える、Ｃ１に記載の方法。
［Ｃ５］  前記ＲＦスペクトル帯域の前記２つまたはそれ以上のサブバンド中で、１つまたは複数の追加のヘッダパケットを送信することをさらに備え、ここにおいて、前記追加のヘッダパケットの各々は、前記第１の電力レベルまたは前記異なる電力レベルにおいて送信される、Ｃ１に記載の方法。
［Ｃ６］  前記１つまたは複数の追加のヘッダは後続のサブフレームの境界において同期的に送信される、Ｃ５に記載の方法。
［Ｃ７］  前記ＲＦスペクトル帯域の各サブバンドにわたって、連続パターンにおいて前記ヘッダパケットを送信することをさらに備え、ここにおいて、前記連続パターンは前記ＣＣＡに少なくとも部分的に基づく、Ｃ１に記載の方法。
［Ｃ８］  前記ＲＦスペクトル帯域の各サブバンドにわたって、非連続パターンにおいて前記ヘッダパケットを送信することをさらに備え、ここにおいて、前記非連続パターンは前記ＣＣＡに少なくとも部分的に基づく、Ｃ１に記載の方法。
［Ｃ９］  第１の事業者に関する第１の時間および第２の事業者に関する第２の時間において、前記特殊ヘッダを送信することをさらに備える、Ｃ１に記載の方法。
［Ｃ１０］  前記第１の時間は前記第２の時間とは異なる、Ｃ９に記載の方法。
［Ｃ１１］  前記特殊ヘッダは、第１の事業者に関する第１の構成および第２の事業者に関する第２の構成のものである、Ｃ１に記載の方法。
［Ｃ１２］  前記ヘッダパケットはワイヤレスフィデリティ（Ｗｉ−Ｆｉ）フレーム構造を備える、Ｃ１に記載の方法。
［Ｃ１３］  ワイヤレス通信のための装置であって、
プロセッサと、
前記プロセッサと電子通信しているメモリと、および
前記メモリに記憶され、前記プロセッサによって実行されるとき、前記装置に、
無線周波数（ＲＦ）スペクトル帯域のマルチプルなサブバンドにわたって動作するチャネル上で、クリアチャネルアセスメント（ＣＣＡ）プロシージャを実施することと、
前記チャネルは前記実施されたＣＣＡに少なくとも部分的に基づいて、利用可能であると決定することと、および
マルチプルなサブバンドにわたって動作する前記チャネル中で、特殊ヘッダを送信することと、ここにおいて、前記特殊ヘッダが２つまたはそれ以上の送信時間間隔（ＴＴＩ）を備え、各ＴＴＩは２つまたはそれ以上のサブバンドの各々中でヘッダパケットを備える、を行わせるように動作可能な命令とを備える、装置。
［Ｃ１４］  前記命令は、前記プロセッサによって実行されるとき、前記装置に、
第１の電力レベルにおいて、前記２つまたはそれ以上のサブバンドの各々にわたって、前記２つまたはそれ以上のＴＴＩのうちの第１のＴＴＩを送信することと、および
異なる電力レベルにおいて、前記２つまたはそれ以上のサブバンドにわたって、前記２つまたはそれ以上のＴＴＩのうちの１つまたは複数の後続のＴＴＩを送信することとを行わせるように動作可能である、Ｃ１３に記載の装置。
［Ｃ１５］  前記第１の電力レベルは前記異なる電力レベルよりも小さい、Ｃ１４に記載の装置。
［Ｃ１６］  前記ヘッダパケットは自己への送信可フレーム構造を備える、Ｃ１３に記載の装置。
［Ｃ１７］  前記命令は、前記プロセッサによって実行されるとき、前記装置に、
前記ＲＦスペクトル帯域の前記２つまたはそれ以上のサブバンド中で、１つまたは複数の追加のヘッダパケットを送信することを行わせるように動作可能であり、ここにおいて、前記追加のヘッダパケットの各々は、前記第１の電力レベルまたは前記異なる電力レベルにおいて送信される、Ｃ１３に記載の装置。
［Ｃ１８］  ワイヤレス通信のための装置であって、
無線周波数（ＲＦ）スペクトル帯域のマルチプルなサブバンドにわたって動作するチャネル上で、クリアチャネルアセスメント（ＣＣＡ）プロシージャを実施するための手段と、
前記チャネルは前記実施されたＣＣＡに少なくとも部分的に基づいて、利用可能であると決定するための手段と、および
マルチプルなサブバンドにわたって動作する前記チャネル中で、特殊ヘッダを送信するための手段と、ここにおいて、前記特殊ヘッダは２つまたはそれ以上の送信時間間隔（ＴＴＩ）を備え、各ＴＴＩは２つまたはそれ以上のサブバンドの各々中でヘッダパケットを備える、を備える、装置。
［Ｃ１９］  第１の電力レベルにおいて、前記２つまたはそれ以上のサブバンドの各々にわたって、前記２つまたはそれ以上のＴＴＩのうちの第１のＴＴＩを送信するための手段と、および異なる電力レベルにおいて、前記２つまたはそれ以上のサブバンドにわたって、前記２つまたはそれ以上のＴＴＩのうちの１つまたは複数の後続のＴＴＩを送信するための手段とをさらに備える、Ｃ１８に記載の装置。
［Ｃ２０］  前記第１の電力レベルは前記異なる電力レベルよりも小さい、Ｃ１９に記載の装置。
［Ｃ２１］  前記ヘッダパケットは自己への送信可フレーム構造を備える、Ｃ１８に記載の装置。
［Ｃ２２］  前記ＲＦスペクトル帯域の前記２つまたはそれ以上のサブバンド中で、１つまたは複数の追加のヘッダパケットを送信するための手段をさらに備え、ここにおいて、前記追加のヘッダパケットの各々は、前記第１の電力レベルまたは前記異なる電力レベルにおいて送信される、Ｃ１８に記載の装置。
［Ｃ２３］  前記１つまたは複数の追加のヘッダは後続のサブフレームの境界において同期的に送信される、Ｃ２２に記載の装置。
［Ｃ２４］  前記ＲＦスペクトル帯域の各サブバンドにわたって、連続パターンにおいて前記ヘッダパケットを送信するための手段をさらに備え、ここにおいて、前記連続パターンは前記ＣＣＡに少なくとも部分的に基づく、Ｃ１８に記載の装置。
［Ｃ２５］  前記ＲＦスペクトル帯域の各サブバンドにわたって、非連続パターンにおいて前記ヘッダパケットを送信するための手段をさらに備え、ここにおいて、前記非連続パターンは前記ＣＣＡに少なくとも部分的に基づく、Ｃ１８に記載の装置。
［Ｃ２６］  第１の事業者に関する第１の時間および第２の事業者に関する第２の時間において、前記特殊ヘッダを送信するための手段をさらに備える、Ｃ１８に記載の装置。
［Ｃ２７］  前記第１の時間は前記第２の時間とは異なる、Ｃ２６に記載の装置。
［Ｃ２８］  前記特殊ヘッダは、第１の事業者に関する第１の構成および第２の事業者に関する第２の構成のものである、Ｃ１８に記載の装置。
［Ｃ２９］  前記ヘッダパケットはワイヤレスフィデリティ（Ｗｉ−Ｆｉ）フレーム構造を備える、Ｃ１８に記載の装置。
［Ｃ３０］  ワイヤレス通信のためのコードを記憶する非一時的コンピュータ可読媒体であって、前記コードは、
無線周波数（ＲＦ）スペクトル帯域のマルチプルなサブバンドにわたって動作するチャネル上で、クリアチャネルアセスメント（ＣＣＡ）プロシージャを実施することと、
前記チャネルは前記実施されたＣＣＡに少なくとも部分的に基づいて、利用可能であると決定することと、および
マルチプルなサブバンドにわたって動作する前記チャネル中で、特殊ヘッダを送信することと、ここにおいて、前記特殊ヘッダは２つまたはそれ以上の送信時間間隔（ＴＴＩ）を備え、各ＴＴＩは２つまたはそれ以上のサブバンドの各々中でヘッダパケットを備える、を行うために実行可能な命令を備える、非一時的コンピュータ可読媒体。